(57)【要約】【目的】製造工程が簡明な部品点数の少ない複合型ガスセンサおよび誤実装の起こり難いを実装方法を提供する。【構成】絶縁性のベースと、２本の金属製のリードの先端にガスを検知するガス検知素子が張架されてなる単体センサとこれとは異なるガス種を検知するガス検知素子が張架され、他は同じ構造の他の単体センサとが、互いのベース側面を突き合わせられて共通ベースとされ、これにキャップが被せられてなる複合型ガスセンサにおいて、単体センサのベースにガス検知素子が接続されないダミーリードを追加して設け、ダミーリードを適宜切断することによって、対応ガス種のプリント基板へ実装が誤りなくできる。【選択図】        図１
2005233666.tif 000002
【特許請求の範囲】
【請求項１】
絶縁性のベースと、ベースを貫通して固定された２本の金属製のリードの先端にガスを検知するガス検知素子が張架されてなる単体センサとこれとは異なるガス種を検知するガス検知素子が張架され、他は同じ構造の他の単体センサとが、互いのベース側面を突き合わせられて共通ベースとされ、これにキャップが被せられてなる複合型ガスセンサにおいて、前記単体センサのベースにガス検知素子が接続されないダミーリードが追加して設けられたことを特徴とする複合型ガスセンサ。
【請求項２】
絶縁性のベースと、１個のベースを貫通して固定された４本の金属製のリードの各２本づつの先端に異なるガスを検知するガス検知素子がそれぞれ張架されリードおよびガス検知素子を覆ってキャップが被せられキャップの縁がベースに固定されてなる複合型ガスセンサにおいて、前記ベースにガス検知素子が接続されないダミーリードが追加して設けられたことを特徴とする複合型ガスセンサ。
【請求項３】
前記ダミーリードの除去または非除去と、残留リードの位置に合致するリード穴を開けられたプリント基板との組み合わせによって、誤実装を防止することを特徴とする請求項１または２のいずれかに記載の複合型ガスセンサの実装方法。
【発明の詳細な説明】
【技術分野】
【０００１】
この発明は、２種類のガス検知素子を搭載し、特にプリント基板実装用のリードを有する複合型ガスセンサに関する。
【背景技術】
【０００２】
複合型ガスセンサは、例えば１つのキャップ内部に可燃性ガスを検知するガス検知素子と不完全燃焼ガスを検知するガス検知素子の組み合わせのように、２種類のガスを検知するガスセンサを内蔵するものである。絶縁性のベースと、ベースを貫通して固定された４本の金属製のリードの各２本づつの先端部に異なるガスを検知するガス検知素子が各１個づつ張架されリードおよびガス検知素子を覆ってキャップが被せられキャップの縁が２つのベースに固定されてなっている。
また他の構造では、絶縁性のベースと、ベースを貫通して固定された２本の金属製のリードの先端部にガス検知素子が各１個づつ張架されてなる１組のものと、他のガスを検知するガス検知素子を有する同様の構造の他の１組のものとを、ベースの側面を共有して突き合わせるように組み合わせ、２つのベースにまたがってキャップを被せて一体化した複合型ガスセンサもある。
【０００３】
このような後者の複合型ガスセンサをプリント基板に実装する際、プリント基板の目的とするガス種は複合型ガスセンサのそれと一致しなければならないので、従来は以下の方法でこの一致を図り、誤実装を防止していた。
図４は従来の複合型ガスセンサを示す斜視図である。
この複合型ガスセンサでは、ある種のガス検知素子に対応する、ベース２１ａ、リード３１ａから構成された１組と、他の種のガス検知素子に対応する、ベース２１ｂ、リード３１ｂから構成された１組とを組み合わせ、キャップ１１が共通して被せられている。
リード３１ａ間のピッチとリード３１ｂ間のピッチは同じでなく、それぞれのピッチが２種類のガスに対応しており、正しいピッチ配列のみが実装可能にされている。
また、図４は、キャップ１１にあらかじめ方向を示すリブ１１ａ等の目印を設け、目視により実装方向を確認することもできる場合である。
【０００４】
このように、リードの配置により誤実装を防止しようとする試みはＬＳＩ（大規模集積回路）においては既に提案されている（特許文献１参照。）。
【特許文献１】特開２００２−４３４９５号公報（第２−３頁、第１−２図）
【発明の開示】
【発明が解決しようとする課題】
【０００５】
従来の技術では以下のような問題があった。
異なるベースにおいては、リードのピッチを一定にせず不揃いとする場合は、各検知素子各々に対応した形状の違うベースを必要とするため、使用する部品の種類が増加し、製造方法工程は複雑化し、また型費の増加など、コストアップにもつながる。
また、方向を示す目印、例えばリブなどをキャップに設ける場合は、作業者の誤認による誤実装を必ずしも防止できない。
本発明の目的は、製造工程が簡明な部品点数の少ない複合型ガスセンサおよび誤実装の起こり難い実装方法を提供することにある。
【課題を解決するための手段】
【０００６】
本発明の目的を達成するため、絶縁性のベースと、ベースを貫通して固定された２本の金属製のリードの先端にガスを検知するガス検知素子が張架されてなる単体センサとこれとは異なるガス種を検知するガス検知素子が張架され、他は同じ構造の他の単体センサとが、互いのベース側面を突き合わせられて共通ベースとされ、これにキャップが被せられてなる複合型ガスセンサにおいて、前記単体センサのベースにガス検知素子が接続されないダミーリードを追加して設けることとする。
絶縁性のベースと、１個のベースを貫通して固定された４本の金属製のリードの各２本づつの先端に異なるガスを検知するガス検知素子がそれぞれ張架されリードおよびガス検知素子を覆ってキャップが被せられキャップの縁がベースに固定されてなる複合型ガスセンサにおいて、前記ベースにガス検知素子が接続されないダミーリードが追加して設けられたことを特徴とする複合型ガスセンサ。
【０００７】
複合型ガスセンサのプリント基板への実装方法において、前記ダミーリードの除去または非除去と、残留リードの位置に合致するリード穴を開けられたプリント基板との組み合わせによって、誤実装を防止することとする。
【発明の効果】
【０００８】
本発明によれば、２種類の検知素子に共用できるガス検知素子搭載用のベースに、誤実装防止用のダミーリードを設けることとしたため、ダミーリードの除去または非除去の組み合わせによってガス検知素子の種類を判別し、誤実装を防止することができる。
特に、ベースごとに異なるガス検知素子を搭載する場合は、ベース構造を共通化にすることにより、部品種類を削減し、肯定の簡素化ができる。型製作費用を低減させることができる。
【発明を実施するための最良の形態】
【０００９】
図１は本発明に係る複合型ガスセンサの斜視図である。
図２は本発明に係るあるガス（ガスＡとする）を検知対象とするガス検知素子を搭載した単体ベースの斜視図である。
図３は本発明に係る他のガス（ガスＢとする）を検知対象とするガス検知素子を搭載した単体ベースの斜視図である。
ガス検知素子を搭載する前は同じ形状であり、リードおよびガス検知素子と電気的接続のないダミーリードの位置も同じである単体ベースを準備しておく。
このように、検知対称ガスにかかわらず同じベースですむので、ベース用の金型は１種でよく、ベース製造工程は単純である。
そして、例えば、ガスＡの検知素子を搭載のベース２ａにはダミーリード３Ａを残しておき（図２）、ガスＢの検知素子を搭載のベース２ｂではダミーリード３Ｂを切除しておく（図３）。
【００１０】
そして、これらベースを向かい合わせて、キャップ１にはめ込み複合ガスセンサを完成する（図１）。
複合型ガスセンサを実装するプリント基板にはあらかじめ除去したリードを除く５本の端子が挿入できる穴を開けておくことによって、誤った方向への実装を防止できる。
このように、検知対象ガスにかかわらず同じベースですむので、ベース用の金型は１種でよく、ベース製造工程は単純である。
また、リードの配列の変化は、リードの切断のみでよく、その工程は簡明である。
以上、個別のベースごとに１種のガス検知素子が搭載された場合について説明したが、１個のベースにリードを４本有し、各２本のリードに異なるガス検知素子を搭載した場合にも、同様にダミーリードを、例えば２本、付加しておくことは、プリント基板への実装方法において、まったく同様の利点を生ずることは明らかである。
【産業上の利用可能性】
【００１１】
本発明によれば、２種類の検知素子に共用できるガス検知素子搭載用のベースに、誤実装防止用のダミーリードを設けることとしたため、ダミーリードの除去または非除去の組み合わせによってガス検知素子の種類を判別し、誤実装を防止することができ。
特に、ベースごとに異なるガス検知素子を搭載する場合は、ベース構造を共通化にすることにより、部品種類を削減し、工程の簡素化ができる。
従って、これらは複合型ガスセンサのコスト低減をもたらし、また、ガス警報器などのけのコスト低減をもたらす。
【図面の簡単な説明】
【００１２】
【図１】本発明に係る複合型ガスセンサの斜視図である。
【図２】本発明に係るあるガス（ガスＡとする）を検知対象とするガス検知素子を搭載した単体ベースの斜視図である。
【図３】本発明に係る他のガス（ガスＢとする）を検知対象とするガス検知素子を搭載した単体ベースの斜視図である。
【図４】従来の複合型ガスセンサを示す斜視図である。
【符号の説明】
【００１３】
１      キャップ
１１      キャップ
１１ａ    方向指示用リブ
２ａ    ベース
２ｂ    ベース
２１ａ    ベース
２１ｂ    ベース
３ａ    リード
３ｂ    リード
３Ａ    ダミーリード
３Ｂ    ダミーリード
３１ａ    リード
３１ｂ    リード
４ａ    ガス検知素子
４ｂ    ガス検知素子
【図１】
2005233666.tif 000003
【図２】
2005233666.tif 000004
【図３】
2005233666.tif 000005
【図４】
2005233666.tif 000006